(57)【要約】【課題】本発明はエアフィルタに関するもので、複数の種類のプリーツからなるエアフィルタのコストを低減することを目的とするものである。【解決手段】そしてこの目的を達成するために本発明は、第１のプリーツ２と、２つの第２のプリーツ３の折り幅７と折り目方向５を合わせて、第１のプリーツ２および第２のプリーツ３は濾材をプリーツ形状に折り、このプリーツ形状を保持する複数の形状保持手段４を設け、第１のプリーツの側面部９の両側と２つの第２のプリーツの側面部１０の一方側とを連結する連結手段１１を備え、第１のプリーツ２および２つの第２のプリーツ３の両側の通風路端面部１４を同時に固定する固定手段１５を設けたものである。【選択図】図１
2010214270.tif 000002
【特許請求の範囲】
【請求項１】
第１のプリーツと、２つの第２のプリーツの折り幅と折り目方向を合わせて、前記第１のプリーツおよび前記第２のプリーツは濾材をプリーツ形状に折り、このプリーツ形状を保持する複数の形状保持手段を設け、前記第１のプリーツの側面部の両側と２つの前記第２のプリーツの側面部の一方側とを連結する連結手段を備え、前記第１のプリーツおよび２つの前記第２のプリーツの両側の通風路端面部を同時に固定する固定手段を設けたエアフィルタ。
【請求項２】
固定手段は、２つの枠体と、この枠体内に流し込んだ接着手段で形成し、前記枠体は、前記第１のプリーツおよび２つの前記第２のプリーツの通風路端面部を覆う略椀形状で、２つの前記枠体と前記接着手段とによって前記第１のプリーツと２つの前記第２のプリーツとを固定する構成である請求項１記載のエアフィルタ。
【請求項３】
固定手段の接着手段は、２液タイプの接着剤で構成された請求項２記載のエアフィルタ。
【請求項４】
連結手段は、前記第１のプリーツの側面部の両側と２つの前記第２のプリーツの側面部の一方側とを接着剤を塗布して固定する構成である請求項１〜３のいずれかに記載のエアフィルタ。
【請求項５】
連結手段は、前記第１のプリーツの側面部の両側と２つの前記第２のプリーツの側面部の一方側との間に設けた断面形状がＴ形状であるＴ形固定部材と、このＴ形固定部材と前記第１のプリーツの側面部の両側および２つの前記第２のプリーツの側面部の一方側との間に塗布した接着剤とで構成された請求項１〜３のいずれかに記載のエアフィルタ。
【請求項６】
連結手段は、前記第１のプリーツの側面部の両側に設けたパッキンである請求項１〜３のいずれかに記載のエアフィルタ。
【請求項７】
形状保持手段は、前記第１のプリーツおよび前記第２のプリーツのプリーツ形状の折り目方向に直交して複数列に塗布された接着剤で、この複数列の接着剤は、前記第１のプリーツと前記第２のプリーツに互い違いの位置に塗布された構成である請求項１〜６のいずれかに記載のエアフィルタ。
【請求項８】
前記第１のプリーツに使用する濾材はガラス濾材で、前記第２のプリーツに使用する濾材は静電濾材で構成された請求項１〜７のいずれかに記載のエアフィルタ。
【発明の詳細な説明】
【技術分野】
【０００１】
本発明は、空気調和機などに組み込まれるエアフィルタに関する。
【背景技術】
【０００２】
従来のこの種のエアフィルタの構成は以下のようになっていた。
【０００３】
すなわち、複数のフィルタエレメントを、同じフィルタホルダに同一平面上に並べて個別に着脱可能に保持し、１つのユニットにしたものであった（例えば、これに類似する先行文献は下記特許文献１に記載されている）。
【特許文献１】特開２００２−２０４９１４号公報
【発明の開示】
【発明が解決しようとする課題】
【０００４】
上記従来例における課題は、エアフィルタのコストが高いということであった。
【０００５】
すなわち、従来の物においては、複数の機能の異なるフィルタをフィルタエレメントとしてフィルタホルダ内に保持しているものであった。つまり、機能の異なるフィルタをそれぞれ個別のフィルタエレメントとして組み上げ、更に、別部品であるフィルタホルダに固定していたので、材料および組み立て工数が増え、エアフィルタのコストが高くなるという問題があった。
【０００６】
そこで本発明は、エアフィルタのコストを低減することを目的とするものである。
【課題を解決するための手段】
【０００７】
そしてこの目的を達成するために本発明は、第１のプリーツと、２つの第２のプリーツの折り幅と折り目方向を合わせて、前記第１のプリーツおよび前記第２のプリーツは濾材をプリーツ形状に折り、このプリーツ形状を保持する複数の形状保持手段を設け、前記第１のプリーツの側面部の両側と２つの前記第２のプリーツの側面部の一方側とを連結する連結手段とを設け、これにより、初期の目的を達成するものである。
【発明の効果】
【０００８】
以上のように本発明は、第１のプリーツと、２つの第２のプリーツの折り幅と折り目方向を合わせて、前記第１のプリーツおよび前記第２のプリーツは濾材をプリーツ形状に折り、このプリーツ形状を保持する複数の形状保持手段を設け、前記第１のプリーツの側面部の両側と２つの前記第２のプリーツの側面部の一方側とを連結する連結手段を備え、前記第１のプリーツおよび２つの前記第２のプリーツの両側の通風路端面部を同時に固定する固定手段を設けたものであり、複数の種類のプリーツからなるエアフィルタを安価に提供することができる。
【０００９】
すなわち、第１のプリーツおよび２つの第２のプリーツの両側の通風路端面部を同時に固定する固定手段を設けたので、第１のプリーツおよび２つの第２のプリーツの外周の４面を固定することなく、第１のプリーツおよび２つの第２のプリーツの両側の通風路端面部である外周の２面で固定することができるので、固定手段の材料を削減することができる。
【００１０】
これらの結果により、エアフィルタのコストを低減することができる。
【発明を実施するための最良の形態】
【００１１】
以下、本実施形態を添付図面を用いて説明する。
【００１２】
（実施の形態１）
図１および図２に示すように、本実施形態のエアフィルタ１は、２種類のプリーツであるガラス濾材で構成する第１のプリーツ２と、静電濾材で構成する第２のプリーツ３とが並列に連結し形成されているものである。つまり、空気が流れると第１のプリーツ２または第２のプリーツ３のどちらか一方を通過するものである。
【００１３】
以下に、このエアフィルタ１の組立方法、および構成について説明する。
【００１４】
まず、図２（ａ）に示すように、第１のプリーツ２に使用する濾材であるガラス濾材、および第２のプリーツ３に使用する濾材である静電濾材をプリーツ形状に折り、複数の形状保持手段４であるプリーツ形状の折り目方向５に直交して複数列に塗布された接着剤Ａ６で、プリーツ形状を保持する。つまり、プリーツ形状の折り目と隣合う折り目との空間に接着剤Ａ６を流し込み、プリーツ形状の折り目と隣合う折り目との所定の距離を維持するものである。これにより、ガラス濾材のプリーツ形状である第１のプリーツ２と、静電濾材のプリーツ形状である第２のプリーツ３とが形成される。なお、第１のプリーツ２と第２のプリーツ３との寸法関係は、プリーツ形状の折り目方向５に直交した方向の長さが、第２のプリーツ３より第１のプリーツ２の方が長いものであり、プリーツ形状の折り目方向５の長さである折り幅７と、プリーツ形状の折り高さ８が、第１のプリーツ２と第２のプリーツ３とではほぼ同じ長さである。
【００１５】
次に、図２（ｂ）に示すように、この第１のプリーツ２の両側に第２のプリーツ３を連結する。つまり、第１のプリーツの側面部９の両側面と、２つの第２のプリーツの側面部１０の一方側の側面とを連結手段１１によって連結する。これにより、横長箱形状の１つの連結プリーツ部材１２となる。この連結手段１１は、両側の第１のプリーツの側面部９と２つの第２のプリーツの側面部１０の一方側とを接着剤Ｂ１３を塗布して固定するものである。これにより、第１のプリーツ２および２つの第２のプリーツ３の通風路端面部１４が同一面に連結されることとなる。なお、第１のプリーツの側面部９および第２のプリーツの側面部１０とは、プリーツ形状の折り目方向５と平行な外周側面でプリーツの濾材の表面が位置し、通風路端面部１４とは、プリーツ形状の折り目方向５に対して垂直方向の外周側面でプリーツの濾材の端面が位置するものである。
【００１６】
最後に、図２（ｃ）、（ｄ）に示すように、第１のプリーツ２および２つの第２のプリーツ３の通風路端面部１４の両側を固定手段１５によって固定する。この固定手段１５は、２つの枠体１６と、この枠体１６内に流し込んだ接着手段である接着剤Ｃ１７とから形成されている。この枠体１６は、第１のプリーツ２と２つの第２のプリーツ３とが同一面に連結された通風路端面部１４を覆う略椀形状である。この略椀形状の枠体１６の内部に接着手段である接着剤Ｃ１７を流し込み、この接着剤Ｃ１７が乾燥しないうちに、第１のプリーツ２および２つの第２のプリーツ３の一方の通風路端面部１４を挿入し固定する。そして、他方の通風路端面部１４も同様に、枠体１６と接着剤Ｃ１７とで固定する。
【００１７】
以上の構成において、本実施形態の特徴は、第１のプリーツ２と、２つの第２のプリーツ３の折り幅７と折り目方向５を合わせて、第１のプリーツ２および第２のプリーツ３は濾材をプリーツ形状に折り、このプリーツ形状を保持する複数の形状保持手段４を設け、第１のプリーツの側面部９の両側と２つの第２のプリーツの側面部１０の一方側とを連結する連結手段１１を備え、第１のプリーツ２および２つの第２のプリーツ３の両側の通風路端面部１４を同時に固定する固定手段１５を設けたものである。
【００１８】
すなわち、第１のプリーツ２および２つの第２のプリーツ３の両側の通風路端面部１４を同時に固定する固定手段１５を設けたので、第１のプリーツ２および２つの第２のプリーツ３の外周の４面を固定することなく、第１のプリーツ２および２つの第２のプリーツ３の両側の通風路端面部１４である外周の２面で固定することができるので、固定手段１５の材料を削減することができる。
【００１９】
これらの結果により、エアフィルタ１を安価に提供することができる。
【００２０】
また、固定手段１５は、２つの枠体１６と、この枠体１６内に流し込んだ接着剤Ｃ１７で形成し、枠体１６は、第１のプリーツ２および２つの第２のプリーツ３の通風路端面部１４を覆う略椀形状で、２つの枠体１６と接着剤Ｃ１７とによって第１のプリーツ２と２つの第２のプリーツ３とを固定する構成である。具体的には、枠体１６は、略横長四角形の底板部１８と、この底板部１８の外周縁から、底板部１８に対して垂直方向に延びた壁部１９とからなる略椀形状である。第１のプリーツ２、および２つの第２のプリーツ３の通風路端面部１４を略横長四角形の底板部１８と、この底板部１８の外周縁から延びた壁部１９とで覆うものである。つまり、この略横長四角形の底板部の長手方向２０の長さが、１つの第１のプリーツ２と２つの第２のプリーツ３のプリーツ形状の折り目方向５に直交した方向の長さの総和とほぼ同じで、底板部の短手方向２１の長さが、第１のプリーツ２および第２のプリーツ３のプリーツ形状の折り高さ８とほぼ同じである。これにより、枠体１６の内部に接着手段である接着剤Ｃ１７を流し込み、その枠体１６の内部に１つの第１のプリーツ２と２つの第２のプリーツ３が連結された状態で、通風路端面部１４を挿入できるものである。
【００２１】
すなわち、１つの第１のプリーツ２と２つの第２のプリーツ３とを連結した連結プリーツ部材１２の状態で、通風路端面部１４の両面を２つの枠体１６で固定するので、連結された１つの第１のプリーツ２と２つの第２のプリーツ３を２つの枠体１６で挟むように固定されるものである。結果として、１つの第１のプリーツ２と２つの第２のプリーツ３とを連結した連結プリーツ部材１２の通風路端面部１４および側面部の外周全体を固定せず、連結プリーツ部材１２の両側の通風路端面部１４のみを固定するので、固定手段１５の材料を削減することができる。また、１つの第１のプリーツ２と２つの第２のプリーツ３とを連結した連結プリーツ部材１２の状態を、２つの枠体１６で挟み固定すると共に、枠体１６の壁部１９によって、１つの第１のプリーツ２と２つの第２のプリーツ３とを連結固定するので、１つの第１のプリーツ２と２つの第２のプリーツ３とを連結する接着剤Ｂ１３が完全に乾燥していない状態でも、連結プリーツ部材１２と枠体１６とを固定でき、作業能率を向上することができる。また、枠体１６は、略横長四角形の底板部１８と、この底板部１８の外周縁から、底板部１８に対して垂直方向に延びた壁部１９とからなる略椀形状であり、この枠体１６の内部に接着手段である接着剤Ｃ１７を流し込むものであるが、ここで、その枠体１６の内部に連結プリーツ部材１２の通風路端面部１４を挿入し、接着剤Ｃ１７の上面部が盛り上がっても、枠体１６の壁部１９は、接着剤Ｃ１７の上面部より高い位置まで延びているので、壁部１９から接着剤Ｃ１７が漏れを抑制でき、作業能率を向上することができる。なお、枠体１６の材質は、樹脂または紙または金属である。
【００２２】
また、固定手段１５の接着手段である接着剤Ｃ１７は、２液タイプの接着剤で構成されたものである。具体的にはウレタン系接着剤が一例であり、ホットメルトやボンド等の接着剤でもよい。これにより、接着剤Ｃの乾燥時間を調整でき、連結プリーツ部材１２を枠体１６に固定するまでは固まらずに、固定した後に接着剤Ｃ１７が乾燥し固まることができるので、連結プリーツ部材１２と枠体１６とを確実に固定することができる。
【００２３】
また、連結手段１１は、第１のプリーツの側面部９の両側と２つの第２のプリーツの側面部１０の一方側とを接着剤Ｂ１３を塗布して固定する構成である。具体的には、第１のプリーツの側面部９の両側に接着剤Ｂ１３を塗布し、この接着剤Ｂ１３を塗布した第１のプリーツの側面部９の両側に、２つの第２のプリーツの側面部１０のそれぞれ一方側を押し当て、接着剤Ｂ１３によって固定するものである。
【００２４】
すなわち、第１のプリーツの側面部９の両側と２つの第２のプリーツの側面部１０の一方側は、どちらもプリーツの端面ではなく、表面部なので、凹凸が無く容易に接着剤Ｂ１３で連結することができる。
【００２５】
また、図２（ｃ）に示すように、形状保持手段４は、第１のプリーツ２および第２のプリーツ３のプリーツ形状の折り目方向５に直交して複数列に塗布された接着剤Ａ６であり、この複数列の接着剤６は、第１のプリーツ２と第２のプリーツ３に互い違いの位置に塗布された構成である。具体的には、第１のプリーツ２に使用するガラス濾材、および第２のプリーツ３に使用する静電濾材をプリーツ形状に折り、複数の形状保持手段４であるプリーツ形状の折り目方向５に直交して複数列に塗布された接着剤Ａ６で、プリーツ形状を保持する。これにより、ガラス濾材で構成する第１のプリーツ２と、静電濾材で構成する第２のプリーツ３とが形成されるが、この第１のプリーツ２と、第２のプリーツ３とを連結すると、第１のプリーツ２と第２のプリーツ３の形状保持手段４である接着剤Ａ６の塗布による複数の接着剤Ａ６の列が重なることなく、互い違いに位置するものである。
【００２６】
すなわち、第１のプリーツの側面部９の両側に接着剤Ｂ１３を塗布し、この接着剤Ｂ１３を塗布した第１のプリーツの側面部９の両側に、２つの第２のプリーツの側面部１０のそれぞれ一方側を押し当てると、形状保持手段４である接着剤Ａ６の塗布による複数の接着剤Ａ６の列が、接着剤Ａ６の列と接着剤Ａ６の列との間に入るので、第１のプリーツの側面部９の両側と２つの第２のプリーツの側面部１０のそれぞれ一方側との間に隙間ができ難いので、容易に接着剤Ｂ１３で連結することができる。
【００２７】
また、第１のプリーツ２に使用する濾材はガラス濾材で、第２のプリーツ３に使用する濾材は静電濾材で構成されたものである。具体的には、第１のプリーツ２に使用する濾材はガラス繊維とバインダーから成るものである。第２のプリーツ３に使用する濾材は基材部分の層と帯電加工した層から成るものである。
【００２８】
すなわち、静電濾材はガラス濾材より分厚く、硬いため濾材自体に強度があり、第１のプリーツ２の両側に第２のプリーツ３を固定することにより、１つの第１のプリーツ２と２つの第２のプリーツ３とを連結した連結プリーツ部材１２の外側が、内側に比べて丈夫になり、組立作業時のエアフィルタの扱いが容易になり組立作業の効率を向上することができる。また、枠体１６で囲まれていない部分は、静電濾材である第２のプリーツ３なので、空気調和機に装着する場合にも外周部が丈夫なので、破れ難くくなり、破れに対する品質低下を防ぐことが可能となる。
【００２９】
（実施の形態２）
以下、本発明の実施の形態２におけるエアフィルタについて図面を参照しながら説明する。なお、実施の形態１の構成と同様の構成を有するものについては、同一符号を付してその説明を省略する。
【００３０】
実施の形態１と相違する点は、図３に示す連結手段１１である。この連結手段１１Ａは、第１のプリーツの側面部９の両側と２つの第２のプリーツの側面部１０の一方側との間に設けた断面形状がＴ形状であるＴ形固定部材２２と、このＴ形固定部材２２と第１のプリーツの側面部９の両側および２つの第２のプリーツの側面部１０の一方側との間に塗布した接着剤Ｂ１３とで構成されたものである。具体的には、連結手段１１Ａは、断面形状がＴ形状であるＴ形固定部材２２と、接着剤Ｂ１３である。Ｔ形固定部材２２は、横平面部２３と、この横平面部２３の中央部から垂直方向に延びた、縦平面部２４とから形成され、つまり、横平面部２３の中央部と縦平面部２４の端部とを接着剤で固定し、断面形状をＴ形状にしたものである。このＴ形固定部材２２の縦平面部２４を第１のプリーツの側面部９の両側と、２つの第２のプリーツの側面部１０の一方側との間に挿入し、Ｔ形固定部材２２の縦平面部２４と、第１のプリーツの側面部９の両側、および第２のプリーツの側面部１０の一方側との間に接着剤Ｂ１３を塗布し、第１のプリーツ２の両側に第２のプリーツ３を連結するものである。
【００３１】
ここで、Ｔ形固定部材２２の横平面部２３と縦平面部２４との固定部分２５に、第１のプリーツの側面部９の両側の端部と、第２のプリーツの側面部１０の一方側の端部とが位置する構成である。
【００３２】
すなわち、Ｔ形固定部材２２の縦平面部２４と、第１のプリーツの側面部９の両側、および第２のプリーツの側面部１０の一方側とを接着剤Ｂ１３で固定すると共に、第１のプリーツの側面部９の両側の端部と、第２のプリーツの側面部１０の一方側の端部とを、Ｔ形固定部材２２の横平面部２３で覆うので、Ｔ形固定部材２２の縦平面部２４と、第１のプリーツの側面部９の両側、および第２のプリーツの側面部１０の一方側との間の接着剤Ｂ１３に隙間ができても、リークを抑制することが出来る。なお、空気調和機に装着した場合に、空気の流れに対して、上流側にＴ形固定部材２２の横平面部２３が位置することにより、空気がＴ形固定部材２２の横平面部２３に当たり、第１のプリーツの側面部９の両側、および第２のプリーツの側面部１０の一方側との間の接着部分に空気が流れ込み難いので、リークを抑制することが出来る。
【００３３】
（実施の形態３）
以下、本発明の実施の形態３におけるエアフィルタについて図面を参照しながら説明する。なお、実施の形態１の構成と同様の構成を有するものについては、同一符号を付してその説明を省略する。
【００３４】
実施の形態１と相違する点は、図４に示す連結手段１１である。この連結手段１１は、第１のプリーツの側面部９の両側に設けたパッキン２６である。具体的には、第１のプリーツ２の両側に第２のプリーツ３を連結する。ここで、第１のプリーツの側面部９の両側と、２つの第２のプリーツ３の一方側とを連結手段１１であるパッキン２６によって連結するものである。つまり、この連結手段１１であるパッキン２６は、第１のプリーツの側面部９の両側に貼り付け、このパッキン２６に２つの第２のプリーツの側面部１０の一方側を押し当てることにより、１つの第１のプリーツ２と２つの第２のプリーツ３とを連結するものである。
【００３５】
すなわち、両側の側面部にパッキン２６を貼り付けた１つの第１のプリーツ２と２つの第２のプリーツ３とを、２つの枠体１６で挟むように固定されるものである。結果として、１つの第１のプリーツ２と２つの第２のプリーツ３との隙間をパッキン２６によって吸収し、枠体１６の壁部１９で、１つの第１のプリーツ２と２つの第２のプリーツ３とをパッキン２６を押しつぶした状態で連結するので、第１のプリーツ２と第２のプリーツ３との隙間を抑制するものである。また、１つの第１のプリーツ２と２つの第２のプリーツ３とを連結するのは、２つの枠体１６で挟む時なので、１つの第１のプリーツ２と２つの第２のプリーツ３の合計３つのプリーツ部材を別々に枠体１６に装着できるので、第１のプリーツ２および第２のプリーツ３が大きい場合にも、組立作業を容易にすることができる。
【００３６】
なお、パッキン２６は１例として、ウレタン系がある。
【産業上の利用可能性】
【００３７】
以上のように本発明は、第１のプリーツと、２つの第２のプリーツの折り幅と折り目方向を合わせて、前記第１のプリーツおよび前記第２のプリーツは濾材をプリーツ形状に折り、このプリーツ形状を保持する複数の形状保持手段を設け、前記第１のプリーツの側面部の両側と２つの前記第２のプリーツの側面部の一方側とを連結する連結手段を備え、前記第１のプリーツおよび２つの前記第２のプリーツの両側の通風路端面部を同時に固定する固定手段を設けたものであり、複数の種類のプリーツからなるエアフィルタを安価に提供することができる。
【００３８】
すなわち、第１のプリーツおよび２つの第２のプリーツの両側の通風路端面部を固定する固定手段を設けたので、第１のプリーツおよび２つの第２のプリーツの外周四面を固定することなく、第１のプリーツおよび２つの第２のプリーツの両側の通風路端面部である外周二面で固定することができるので、固定手段の材料を削減できることとなる。
【００３９】
これらの結果により、エアフィルタコストを低減することができる。
【００４０】
従って、家庭用や事務所用などの、空気調和機などに組み込まれるエアフィルタして活用が期待されるものである。
【図面の簡単な説明】
【００４１】
【図１】本発明の実施の形態１のエアフィルタの概略図
【図２】本発明の実施の形態１のエアフィルタの概略図（（ａ）同エアフィルタの概略図、（ｂ）同エアフィルタの概略図、（ｃ）同エアフィルタの概略図、（ｄ）同エアフィルタの概略図）
【図３】本発明の実施の形態２のエアフィルタを示す図（（ａ）同エアフィルタの平面図、（ｂ）同エアフィルタの断面図、（ｃ）同エアフィルタの連結手段の拡大図）
【図４】本発明の実施の形態３のエアフィルタを示す図（（ａ）同エアフィルタの平面図、（ｂ）同エアフィルタの断面図）
【符号の説明】
【００４２】
１    エアフィルタ
２    第１のプリーツ
３    第２のプリーツ
４    形状保持手段
５    折り目方向
６    接着剤Ａ
７    折り幅
８    折り高さ
９    第１のプリーツの側面部
１０  第２のプリーツの側面部
１１  連結手段
１２  連結プリーツ部材
１３  接着剤Ｂ
１４  通風路端面部
１５  固定手段
１６  枠体
１７  接着剤Ｃ
１８  底板部
１９  壁部
２０  底板部の長手方向
２１  底板部の短手方向
２２  Ｔ形固定部材
２３  横平面部
２４  縦平面部
２５  固定部分
２６  パッキン
【図１】
2010214270.tif 000003
【図２】
2010214270.tif 000004
【図３】
2010214270.tif 000005
【図４】
2010214270.tif 000006